(57)【要約】【課題】嵌合操作力の増加を招くことなく、外部からの振動等に起因した端子接点部の摺動による摩耗を低減させて、嵌合操作性の向上と接触信頼性の向上とを両立させることができるコネクタを提供すること。【解決手段】第１コネクタハウジング３３の端子収容筒部３９の先端に嵌合装着されるフロントホルダ３６には、端子収容筒部３９内の雌型接続端子３８に係合している端子係止ランス３９ｂを雌型接続端子３８との係合が深まる方向に弾性変位させるランス規制部７５を設け、端子係止ランス３９ｂには、雌型接続端子３８との係合が深まる方向に弾性変位した際に、雌型接続端子３８を収容している端子収容孔３９ａと雌型接続端子３８の両側面との間の隙間に進入して隙間を埋めるガタ止め突起を設ける。【選択図】図４
2012043740.tif 000002
【特許請求の範囲】
【請求項１】
雌型接続端子を収容する端子収容筒部を備えた第１コネクタハウジングと、前記端子収容筒部の外周に嵌合する嵌合用筒部の内側に前記雌型接続端子に嵌合させる雄型接続端子を支持した第２コネクタハウジングと、前記端子収容筒部の先端部に嵌合装着されて前記雌型接続端子の先端部の位置決めを果たすフロントホルダと、を備え、
前記端子収容筒部は、前記雌型接続端子を収容する端子収容孔と、前記端子収容孔内に突出した状態から前記端子収容孔の外周の退避空間に弾性変位可能に装備されて前記端子収容孔に正常に収容された前記雌型接続端子に係合することで前記雌型接続端子を抜け止めする端子係止ランスと、を備えたコネクタであって、
前記フロントホルダには、前記端子収容筒部の先端部に嵌合装着された際に、前記退避空間に進入して、前記雌型接続端子に係合している前記端子係止ランスを、前記雌型接続端子との係合が深まる方向に弾性変位させるランス規制部が設けられ、
前記端子係止ランスの両側部には、前記雌型接続端子との係合が深まる方向に前記ランス規制部によって弾性変位させられたときに、前記端子収容孔と前記雌型接続端子の両側面との間の隙間に割り込んで隙間を埋めるガタ止め突起が設けられたことを特徴とするコネクタ。
【請求項２】
前記ガタ止め突起は、前記雌型接続端子の嵌合方向に沿って延在する凸条で、且つ、前記隙間への進入方向の先端に向かって徐々に板厚が薄くなるテーパ状であることを特徴とする請求項１に記載のコネクタ。
【発明の詳細な説明】
【技術分野】
【０００１】
本発明は、例えば車両等の振動が作用する環境で使用されるコネクタに関する。
【背景技術】
【０００２】
図９及び図１０は、振動が作用する車載のワイヤハーネス等に使用されるコネクタの従来例を示したものである。
【０００３】
図９及び図１０に示したコネクタ１は、下記特許文献１に開示されたものである。
このコネクタ１は、第１コネクタハウジング３と、第２コネクタハウジング４と、環状のパッキン５と、フロントホルダ６と、を備えている。
【０００４】
第１コネクタハウジング３は、雌型接続端子である雌型接続端子８を収容する端子収容筒部９と、該端子収容筒部９の外周囲に収容空間１０を画成する外郭筒部１１と、先端側に係止部１２を有したロックアーム１３と、を備えている。
【０００５】
端子収容筒部９は、雌型接続端子８をハウジング後端から挿入可能なように、雌型接続端子８を収容する端子収容孔９ａが、後端から前方に貫通形成されている。端子収容筒部９は、端子収容孔９ａ内に突出する端子係止ランス９ｂを有している。端子係止ランス９ｂは、基準位置まで端子収容孔９ａ内に挿入された雌型接続端子８に係合して雌型接続端子８の抜けを防止する。
【０００６】
端子収容筒部９の外周囲の収容空間１０は、後述する第２コネクタハウジング４の嵌合用筒部を収容する空間である。
【０００７】
第２コネクタハウジング４は、収容空間１０に挿入されて端子収容筒部９の外周に環状のパッキン５を介して嵌合する嵌合用筒部１７と、該嵌合用筒部１７の外周に突設された係合突起１８と、雌型接続端子８に嵌合させる雄型接続端子である雄型接続端子１９を嵌合用筒部１７の内側に支持した端子支持部２０と、を備えている。
【０００８】
係合突起１８は、図１０に示すように、嵌合用筒部１７への端子収容筒部９の嵌合長が規定長に達する嵌合完了位置でロックアーム１３の先端の係止部１２に係合して、第１コネクタハウジング３と第２コネクタハウジング４との嵌合状態をロックする。
【０００９】
環状のパッキン５は、端子収容筒部９の基端側外周に嵌合装備されて、第１コネクタハウジング３と第２コネクタハウジング４との嵌合が完了した状態のときに、端子収容筒部９と嵌合用筒部１７とに密着状態に接触して、これら端子収容筒部９と嵌合用筒部１７との間を封止（防水）する。
【００１０】
フロントホルダ６は、端子収容筒部９の内部に差し込まれる差込部６ａと、端子収容筒部９の前面を覆う先端壁６ｂとを備えている。先端壁６ｂは、外径が端子収容筒部９の外径よりも大きく設定されていて、環状のパッキン５を抜け止めする。また、先端壁６ｂは、雄型接続端子１９を雌型接続端子８側に誘導する端子誘導孔６ｃを有している。先端壁６ｂには、雌型接続端子８の前端部を位置決めする位置決め壁６ｄが一体形成されている。
【００１１】
即ち、フロントホルダ６は、端子収容筒部９の先端部に嵌合装着されて、パッキン５の抜け止めを果たすと共に、端子収容孔９ａに挿入された雌型接続端子８の先端部の位置決めを果たす。
【００１２】
ところで、このようなコネクタ１において、寸法公差や組立誤差等により第１コネクタハウジング３と第２コネクタハウジング４との嵌合部に隙間が生じると、外部の振動によりハウジング相互間にガタつきが生じる。このハウジング相互のガタつきは、雌型接続端子８と雄型接続端子１９との間の端子接点部の摺動摩擦を招き、端子接点部の摩耗を早める。その結果、接触信頼性の低下という問題を招く。
【００１３】
そこで、上記コネクタ１の場合は、図９に示すように、嵌合用筒部１７の基端側外周の周方向の一部領域に、隆起部（下記特許文献１では、雄側誘導規制部）１７ａを形成している。この隆起部１７ａは、コネクタハウジング相互の嵌合方向に沿って延設されている。更に、外郭筒部１１の内周面の隆起部１７ａに対応する位置には、隆起部１７ａが摺動可能に接触する雌側隆起部（下記特許文献１では、雌側誘導規制部）１１ａが設けられている。
【００１４】
即ち、特許文献１では、隆起部１７ａと雌側隆起部１１ａとで、嵌合を締まり嵌め状態にして、径方向の遊びを無くして、外部の振動等によるガタつきを防止するようにしている。
【先行技術文献】
【特許文献】
【００１５】
【特許文献１】特開２００５−２４３６０６号公報
【発明の概要】
【発明が解決しようとする課題】
【００１６】
ところが、特許文献１に開示されたコネクタ１は、嵌合用筒部１７と外郭筒部１１の嵌合を締まり嵌めにしているため、コネクタハウジング相互の嵌合時には、雌型接続端子８と雄型接続端子１９との嵌合だけでなく、嵌合用筒部１７と外郭筒部１１との嵌合にも大きな操作力が必要となり、嵌合操作性が低下するという問題があった。
【００１７】
そこで、本発明の目的は、上記課題を解消することに係り、嵌合操作力の増加を招くことなく、外部からの振動等に起因した端子接点部の摺動による摩耗を低減させて、嵌合操作性の向上と接触信頼性の向上とを両立させることができるコネクタを提供することにある。
【課題を解決するための手段】
【００１８】
本発明の前述した目的は、下記の構成により達成される。
（１）端子収容筒部に備えられた端子収容孔に雌型接続端子を収容した第１コネクタハウジングと、前記端子収容筒部の外周に嵌合する嵌合用筒部の内側に前記雌型接続端子に嵌合させる雄型接続端子を支持した第２コネクタハウジングと、前記端子収容筒部の先端部に嵌合装着されて前記雌型接続端子の先端部の位置決めを果たすフロントホルダと、を備え、
前記端子収容筒部は、前記端子収容孔内に突出した状態から前記端子収容孔の外周の退避空間に弾性変位可能に装備されて前記端子収容孔に正常に収容された前記雌型接続端子に係合することで前記雌型接続端子を抜け止めする端子係止ランスを備えたコネクタであって、
前記フロントホルダには、前記端子収容筒部の先端部に嵌合装着された際に、前記退避空間に進入して、前記雌型接続端子に係合している前記端子係止ランスを、前記雌型接続端子との係合が深まる方向に弾性変位させるランス規制部が設けられ、
前記端子係止ランスの両側部には、前記雌型接続端子との係合が深まる方向に前記ランス規制部によって弾性変位させられたときに、前記端子収容孔と前記雌型接続端子の両側面との間の隙間に割り込んで隙間を埋めるガタ止め突起が設けられたことを特徴とするコネクタ。
【００１９】
（２）前記ガタ止め突起は、前記雌型接続端子の嵌合方向に沿って延在する凸条で、且つ、前記隙間への進入方向の先端に向かって徐々に板厚が薄くなるテーパ状であることを特徴とする上記（１）に記載のコネクタ。
【００２０】
上記（１）の構成によれば、第１コネクタハウジングの端子収容筒部の端子収容孔に雌型接続端子を正常に収容させると、端子収容筒部に装備されている端子係止ランスが雌型接続端子に係合して、端子収容筒部に対して雌型接続端子が抜け止めされる。
【００２１】
そして、端子係止ランスにより雌型接続端子が端子収容筒部に抜け止めされている状態で、端子収容筒部の先端にフロントホルダを嵌合装着すると、フロントホルダにより、雌型接続端子の先端部の位置決めがなされる。また、端子収容筒部の先端にフロントホルダを嵌合装着すると、フロントホルダのランス規制部が端子収容筒部に設けられている退避空間に進入して、雌型接続端子との係合が深まる方向に端子係止ランスを弾性変位させる。
【００２２】
また、雌型接続端子との係合が深まる方向に端子係止ランスが弾性変位すると、端子係止ランスに装備されているガタ止め突起が、端子収容孔と雌型接続端子の両側面との間の隙間に割り込んで隙間を埋める。
【００２３】
即ち、端子収容筒部の先端にフロントホルダが装着された状態では、端子収容孔と雌型接続端子との間にはガタつきの原因となる隙間がなく、外部からの振動が雌型接続端子や第１コネクタハウジングに伝達されても、雌型接続端子がガタつくことがない。
【００２４】
そして、フロントホルダの嵌合装着を完了させた第１コネクタハウジングと第２コネクタハウジングとを嵌合接続させると、第１コネクタハウジング内の雌型接続端子と第２コネクタハウジング内の雄型接続端子とが嵌合して、雌型接続端子と雄型接続端子との接続状態が得られる。接続端子相互が接続された状態では、雌型接続端子がしっかりと端子収容孔に固定されているため、雄型接続端子もガタつきが抑止される。
【００２５】
従って、第１コネクタハウジングと第２コネクタハウジングとが嵌合接続された状態では、外部からの振動が伝わっても、第１コネクタハウジングの端子係止ランスに装備されているガタ止め突起が接続端子相互のガタつきを防止して、端子接点部の摺動による摩耗を低減させることができる。
【００２６】
しかも、雌型接続端子のガタ止めは、第１コネクタハウジングの端子収容筒部にフロントホルダを嵌合装着することで機能し、コネクタハウジング相互の嵌合には影響しない。
【００２７】
従って、コネクタハウジング相互の嵌合操作力の増加を招くことなく、外部からの振動等に起因した端子接点部の摺動による摩耗を低減させて、嵌合操作性の向上と接触信頼性の向上とを両立させることができる。
【００２８】
上記（２）の構成によれば、ガタ止め突起は、隙間への進入方向の先端に向かって徐々に板厚が薄くなるテーパ状であるため、雌型接続端子との係合が深まる方向に端子係止ランスが弾性変位した際のガタ止め突起の隙間への進入を容易にすることができる。
【００２９】
また、ガタ止め突起は、前記雌型接続端子の嵌合方向に沿って延在する凸条で、雌型接続端子の長さ方向に沿う一定以上の長さ範囲で、雌型接続端子と端子収容孔との双方に線接触又は面接触状態となり、雌型接続端子を堅固に端子収容孔に固定することができる。
【発明の効果】
【００３０】
本発明によるコネクタによれば、第１コネクタハウジングの端子収容筒部の端子収容孔に雌型接続端子を正常に収容させた状態で、端子収容筒部の先端にフロントホルダを嵌合装着すると、フロントホルダのランス規制部が雌型接続端子との係合が深まる方向に端子係止ランスを弾性変位させる。この弾性変位によって、端子係止ランスに装備されているガタ止め突起が、端子収容孔と雌型接続端子の両側面との間の隙間に割り込んで隙間を埋める。これにより、端子収容孔と雌型接続端子との間にはガタつきの原因となる隙間がなくなり、外部からの振動が雌型接続端子や第１コネクタハウジングに伝達されても、雌型接続端子がガタつくことがない。
【００３１】
また、雌型接続端子が端子収容筒部にガタつきなく固定されることで、コネクタハウジング相互を嵌合させて、接続端子相互が嵌合接続された状態では、接続端子相互間のガタつきが抑止される。従って、端子接点部の摺動による摩耗を低減させることができる。
【００３２】
しかも、雌型接続端子のガタ止めは、第１コネクタハウジングの端子収容筒部にフロントホルダを嵌合装着することで機能し、コネクタハウジング相互の嵌合には影響しない。
【００３３】
従って、コネクタハウジング相互の嵌合操作力の増加を招くことなく、外部からの振動等に起因した端子接点部の摺動による摩耗を低減させて、嵌合操作性の向上と接触信頼性の向上とを両立させることができる。
【図面の簡単な説明】
【００３４】
【図１】本発明に係るコネクタの一実施形態の分解斜視図である。
【図２】図１に示した第１コネクタハウジングの正面図である。
【図３】図２に示した第１コネクタハウジングのＡ部の拡大図である。
【図４】図１に示した第１コネクタハウジングのロックアームが第２コネクタハウジングの第１係合部に係合した状態の縦断面図である。
【図５】図４のＢ部の拡大図である。
【図６】図５に示した端子係止ランスの先端部を雌型接続端子に当接する側から視た拡大斜視図である。
【図７】図４のＣ−Ｃ断面図である。
【図８】図７のＤ部の拡大図である。
【図９】従来のコネクタのそれぞれのコネクタハウジングの嵌合前の状態を示す縦断面図である。
【図１０】図９に示した従来のコネクタの嵌合完了状態の縦断面図である。
【発明を実施するための形態】
【００３５】
以下、本発明に係るコネクタの好適な実施形態について、図面を参照して詳細に説明する。
【００３６】
図１〜図６は本発明に係るコネクタの一実施形態を示したもので、図１は一実施形態のコネクタの分解斜視図、図２は図１に示した第１コネクタハウジングの正面図、図３は図２に示した第１コネクタハウジングのＡ部の拡大図、図４は図１に示した第１コネクタハウジングのロックアームが第２コネクタハウジングの第１係合部に係合した状態の縦断面図、図５は図４のＢ部の拡大図、図６は図５に示した端子係止ランスの先端部を雌型接続端子に当接する側から視た拡大斜視図、図７は図４のＣ−Ｃ断面図、図８は図７のＤ部の拡大図である。
【００３７】
この一実施形態のコネクタ３１は、図１に示すように、第１コネクタハウジング３３と、環状のパッキン３５と、フロントホルダ３６と、第２コネクタハウジング３７と、を備えている。
【００３８】
第１コネクタハウジング３３は、図１に示すように、雌型接続端子３８を収容する端子収容筒部３９と、該端子収容筒部３９との間に収容空間４０を画成する外郭筒部（フード部）４１と、ロックアーム４２と、を備えている。
【００３９】
雌型接続端子３８は、図１に示すように、電線４４の端部に圧着接続する電線圧着部３８ａと、雄型接続端子が嵌合する角筒状の端子嵌合部３８ｂとを備えている。雌型接続端子３８に接続された電線４４には、後述する端子収容筒部３９の端子収容孔３９ａとの間の隙間を埋めて外部から端子収容孔３９ａへの雨滴等の侵入を防止する防水栓４５が装着されている。
【００４０】
雌型接続端子３８の端子嵌合部３８ｂは、図４に示すように、後述の雄型接続端子４８が挿入されると、挿入された雄型接続端子４８を内部のばね部材と底板部とで挟持して、雄型接続端子４８との電気的な接続を果たす。
【００４１】
端子収容筒部３９は、図４に示すように、雌型接続端子３８をハウジング後端から挿入可能なように、雌型接続端子３８を収容する端子収容孔３９ａが、後端から前方に貫通形成されている。端子収容筒部３９は、端子収容孔３９ａ内に突出する端子係止ランス３９ｂが一体形成されている。端子係止ランス３９ｂは、基準位置まで端子収容孔３９ａ内に挿入された雌型接続端子３８の凹部３８ｄに係合して雌型接続端子３８の抜け（図４の矢印Ｘ１方向への移動）を防止する。
【００４２】
端子収容孔３９ａの外周には、端子係止ランス３９ｂが端子収容孔３９ａから退出可能な退避空間３９ｅ（図５参照）が設けられている。端子係止ランス３９ｂは、雌型接続端子３８が端子収容孔３９ａへ嵌合する途中では、雌型接続端子３８との干渉により退避空間３９ｅに弾性変位（退避）して、雌型接続端子３８の進入を許容する。
【００４３】
図５に示すように、端子係止ランス３９ｂの退避空間３９ｅ側に面した裏面（図５では上面）には、後述するフロントホルダ３６のランス規制部の先端が当接可能な傾斜面３９１が設けられている。この傾斜面３９１は、後述するフロントホルダ３６のランス規制部の先端が当接すると、ランス規制部の先端から受ける押圧力で雌型接続端子３８との係合が深まる方向（図５の矢印Ｙ１方向）に、弾性変位する。
【００４４】
端子係止ランス３９ｂの雌型接続端子３８側に面した表面で、当該端子係止ランス３９ｂの先端側の両側部には、図６に示すように、ガタ止め突起３９３が設けられている。
各ガタ止め突起３９３は、図８に示すように、雌型接続端子３８との係合が深まる方向（図８では矢印Ｙ２方向）に弾性変位させられたときに、端子収容孔３９ａの内面と雌型接続端子３８の両側面との間の隙間Ｓ１に割り込んで、隙間Ｓ１を埋める。
【００４５】
本実施形態の場合、各ガタ止め突起３９３は、雌型接続端子３８の嵌合方向（図６では、矢印Ｘ３方向）に沿って延在する凸条である。また、各ガタ止め突起３９３は、隙間Ｓ１への進入方向（図６では、矢印Ｙ３方向）の先端に向かって徐々に板厚が薄くなるテーパ状である。
【００４６】
端子収容筒部３９の外周囲の収容空間４０は、後述するパッキン３５及び第２コネクタハウジング３７の嵌合用筒部を収容する空間である。収容空間４０の最奥部は、端子収容筒部３９の基端外周に嵌合させたパッキン３５を突き当てる突き当て面４０ａとなっている。
【００４７】
外郭筒部４１は、端子収容筒部３９の外周囲に前記収容空間４０を画成すると共に、前記収容空間４０に収容された後述の第２コネクタハウジング３７の嵌合用筒部４７の外周に嵌合する。
【００４８】
ロックアーム４２は、図４に示すように、コネクタハウジング相互の嵌合方向に延出する可撓アーム４２ａと、この可撓アーム４２ａの先端に突設された係止突起部４２ｂとを備えた構成である。このロックアーム４２は、後述の第２コネクタハウジング３７の嵌合用筒部４７への端子収容筒部３９の嵌合長が規定長に達する通常の嵌合完了位置で、係止突起部４２ｂが後述する第２コネクタハウジング３７上の係合部５１に係合して、第２コネクタハウジング３７の離脱方向（図４の矢印Ｘ２方向）への移動を規制する。
【００４９】
環状のパッキン３５は、図４に示すように端子収容筒部３９の基端側外周に嵌合装備されて、第１コネクタハウジング３３と第２コネクタハウジング３７とが通常に嵌合完了した状態のときに、端子収容筒部３９と後述の第２コネクタハウジング３７の嵌合用筒部４７とに密着状態に接触して、これら端子収容筒部３９と嵌合用筒部４７との間を封止（防水）する。
【００５０】
図４に示すように、本実施形態のパッキン３５は、端子収容筒部３９に接触する内周面、及び嵌合用筒部４７に接触する外周面に、それぞれ、複数条（図では、３条）のリップ（突条）が形成されている。各リップは、周方向に連続したリング状に設けられている。各リップは、弾性変形状態で相手に接触して、密着性を高める。
【００５１】
以上の構成のパッキン３５は、図４に示すように、端子収容筒部３９の基端外周に適正に嵌合装備された状態では、収容空間４０の突き当て面４０ａに突き当たった状態で収容空間４０に収容される。
【００５２】
フロントホルダ３６は、図１及び図４に示すように、端子収容筒部３９の先端部３９ｃの外周に嵌合装着される筒状部７１と、端子収容孔３９ａの前方を覆う先端壁７３とを備えている。筒状部７１は、その後端（図４では、左端）７１ａをパッキン３５の先端（図４では、右端）に近接させていて、環状のパッキン３５を抜け止めする。
【００５３】
また、先端壁７３は、第２コネクタハウジング３７に支持されている後述の雄型接続端子４８を雌型接続端子３８側に誘導する端子誘導孔７３ａを有している。更に、先端壁７３の内側では、端子収容筒部３９に収容された雌型接続端子３８の端子嵌合部３８ｂの先端部を位置決めしている。
【００５４】
また、図４及び図５に示すように、フロントホルダ３６の筒状部７１には、ランス規制部７５が設けられている。このランス規制部７５は、フロントホルダ３６が端子収容筒部３９の先端部３９ｃに嵌合装着された際に、端子係止ランス３９ｂの退避空間３９ｅに進入し、端子係止ランス３９ｂの退避空間３９ｅへの移動を規制する。即ち、フロントホルダ３６のランス規制部７５は、端子係止ランス３９ｂによる雌型接続端子３８の係止状態をロックする２重係止手段として機能する。
【００５５】
更に、図５に示すように、本実施形態では、ランス規制部７５は、退避空間３９ｅに進入した際に、その先端部７５ａが端子係止ランス３９ｂの傾斜面３９１に当接して、雌型接続端子３８に係合している端子係止ランス３９ｂを、雌型接続端子３８と端子係止ランス３９ｂとの係合が深まる方向（図５の矢印Ｙ１方向）に弾性変位させる。
【００５６】
即ち、フロントホルダ３６は、端子収容筒部３９の先端部３９ｃに嵌合装着されて、パッキン３５の抜け止めを果たすと共に、端子収容孔３９ａに挿入された雌型接続端子３８の先端部の位置決めを行い、また、端子係止ランス３９ｂの移動を規制する２重係止手段として機能する。更に、フロントホルダ３６のランス規制部７５は、雌型接続端子３８に係合している端子係止ランス３９ｂを、雌型接続端子３８と端子係止ランス３９ｂとの係合が深まる方向（図５の矢印Ｙ１方向）に弾性変位させる。
【００５７】
図５に示すように、ランス規制部７５の当接によって、雌型接続端子３８との係合が深まる方向に端子係止ランス３９ｂが弾性変位させられると、図８に示したように、端子係止ランス３９ｂの両側部のガタ止め突起３９３が、端子収容孔３９ａと雌型接続端子３８の両側面との間の隙間Ｓ１に割り込んで隙間を埋める。
【００５８】
第２コネクタハウジング３７は、図１に示すように、嵌合用筒部４７と、雄型接続端子４８と、端子支持部４９と、係合部５１と、を備えている。
【００５９】
嵌合用筒部４７は、第１コネクタハウジング３３の収容空間４０に挿入されて端子収容筒部３９の外周に環状のパッキン３５を介して嵌合する。収容空間４０に挿入された嵌合用筒部４７の外周には、図４及び図７に示すように、第１コネクタハウジング３３の外郭筒部４１が嵌合する。
【００６０】
雄型接続端子４８は、雌型接続端子３８の端子嵌合部３８ｂ内に嵌合するものである。この雄型接続端子４８は、第１コネクタハウジング３３と第２コネクタハウジング３７とが嵌合するとき、図４に示すように、雌型接続端子３８の端子嵌合部３８ｂ内に挿入されて、雌型接続端子３８に接続された状態になる。
【００６１】
端子支持部４９は、嵌合用筒部４７の後端に一体形成された部位で、嵌合用筒部４７の内側に配置される雄型接続端子４８を支持している。端子支持部４９は、インサート成形によって、雄型接続端子４８を固定支持している。
【００６２】
嵌合用筒部４７内に臨む端子支持部４９の内端面（図４では、左側端面）４９ａは、端子収容筒部３９の先端に嵌合装着されたフロントホルダ３６の先端面と対向する対向面である。
【００６３】
係合部５１は、嵌合用筒部４７の軸方向（図１の矢印Ｅ方向）の中間部の外周に突設されている。この係合部５１は、嵌合方向に直交する方向に突出した突起で、図４に示すように、その後端面（図４では、右端面）が係合面５１ａとなっている。第１コネクタハウジング３３と第２コネクタハウジング３７を嵌合させた際、嵌合用筒部４７への端子収容筒部３９の嵌合長が規定長に達する嵌合完了位置で、図４に示すように、ロックアーム４２の係止突起部４２ｂが係合部５１の係合面５１ａに係合することで、第２コネクタハウジングの離脱方向（図４の矢印Ｘ２方向）への移動が規制される。
【００６４】
以上に説明した一実施形態のコネクタ３１では、第１コネクタハウジング３３の端子収容筒部３９の端子収容孔３９ａに雌型接続端子３８を正常に収容させると、端子収容筒部３９に装備されている端子係止ランス３９ｂが雌型接続端子３８に係合して、端子収容筒部３９に対して雌型接続端子３８が抜け止めされる。
【００６５】
そして、端子係止ランス３９ｂにより雌型接続端子３８が端子収容筒部３９に抜け止めされている状態で、端子収容筒部３９の先端にフロントホルダ３６を嵌合装着すると、フロントホルダ３６により、雌型接続端子３８の先端部の位置決めがなされる。また、端子収容筒部３９の先端にフロントホルダ３６を嵌合装着すると、フロントホルダ３６のランス規制部７５が端子収容筒部３９に設けられている退避空間３９ｅに進入して、雌型接続端子３８との係合が深まる方向に端子係止ランス３９ｂを弾性変位させる。
【００６６】
また、雌型接続端子３８との係合が深まる方向に端子係止ランス３９ｂが弾性変位すると、端子係止ランス３９ｂに装備されているガタ止め突起３９３が、端子収容孔３９ａと雌型接続端子３８の両側面との間の隙間Ｓ１に割り込んで隙間Ｓ１を埋める。
【００６７】
即ち、端子収容筒部３９の先端にフロントホルダ３６が装着された状態では、端子収容孔３９ａと雌型接続端子３８との間にはガタつきの原因となる隙間Ｓ１がなく、外部からの振動が雌型接続端子３８や第１コネクタハウジング３３に伝達されても、雌型接続端子３８がガタつくことがない。
【００６８】
そして、フロントホルダ３６の嵌合装着を完了させた第１コネクタハウジング３３と第２コネクタハウジング３７とを嵌合接続させると、第１コネクタハウジング３３内の雌型接続端子３８と第２コネクタハウジング３７内の雄型接続端子４８とが嵌合して、雌型接続端子３８と雄型接続端子４８との接続状態が得られる。接続端子３８，４８相互が接続された状態では、雌型接続端子３８がしっかりと端子収容孔３９ａに固定されているため、雄型接続端子４８もガタつきが抑止される。
【００６９】
従って、第１コネクタハウジング３３と第２コネクタハウジング３７とが嵌合接続された状態では、外部からの振動が伝わっても、第１コネクタハウジング３３の端子係止ランス３９ｂに装備されているガタ止め突起３９３が接続端子３８，４８相互のガタつきを防止して、端子接点部の摺動による摩耗を低減させることができる。
【００７０】
しかも、雌型接続端子３８のガタ止めは、第１コネクタハウジング３３の端子収容筒部３９にフロントホルダ３６を嵌合装着することで機能し、コネクタハウジング相互の嵌合には影響しない。
【００７１】
従って、コネクタハウジング相互の嵌合操作力の増加を招くことなく、外部からの振動等に起因した端子接点部の摺動による摩耗を低減させて、嵌合操作性の向上と接触信頼性の向上とを両立させることができる。
【００７２】
更に、本実施形態のコネクタ３１では、ガタ止め突起３９３は、図８に示したように、隙間Ｓ１への進入方向の先端に向かって徐々に板厚が薄くなるテーパ状であるため、雌型接続端子３８との係合が深まる方向に端子係止ランス３９ｂが弾性変位した際のガタ止め突起３９３の隙間Ｓ１への進入を容易にすることができる。
【００７３】
また、ガタ止め突起３９３は、雌型接続端子３８の嵌合方向に沿って延在する凸条で、雌型接続端子３８の長さ方向に沿う一定以上の長さ範囲で、雌型接続端子３８と端子収容孔３９ａとの双方に線接触又は面接触状態となり、雌型接続端子３８を堅固に端子収容孔３９ａに固定することができる。
【００７４】
なお、本発明は、上述した実施形態に限定されるものではなく、適宜な変形、改良、等が可能である。その他、上述した実施形態における各構成要素の材質、形状、寸法、数、配置箇所、等は本発明を達成できるものであれば任意であり、限定されない。
【符号の説明】
【００７５】
３１  コネクタ
３３  第１コネクタハウジング
３５  パッキン
３６  フロントホルダ
３７  第２コネクタハウジング
３８  雌型接続端子
３９  端子収容筒部
３９ｂ  端子係止ランス
３９ｅ  退避空間
４１  外郭筒部
４７  嵌合用筒部
４８  雄型接続端子
４９  端子支持部
５１  係合部
７５  ランス規制部
３９３  ガタ止め突起
【図１】
2012043740.tif 000003
【図２】
2012043740.tif 000004
【図３】
2012043740.tif 000005
【図４】
2012043740.tif 000006
【図５】
2012043740.tif 000007
【図６】
2012043740.tif 000008
【図７】
2012043740.tif 000009
【図８】
2012043740.tif 000010
【図９】
2012043740.tif 000011
【図１０】
2012043740.tif 000012